(57)【要約】  粘着筋膜テープは、自然繊維（コットン）、人工繊維（ナイロン、ポリエステル、及びエラストマー）またはそれらの組み合わせからなる合成素材を含む。当該合成素材は、双糸またはケーブルヤーンとしてのフィラメント糸を形成しており、３単位以上１０単位以下の平織、綾織、または繻子織のオープンワーク構造を形成している。縦糸及び横糸のいずれにおいても破れ斜文織りまたは交差織りにされていてよい。上記構造の横糸（２）は、１本／ｃｍ以上３５本／ｃｍ以下の密度を有しており、縦糸（３）は、１本／ｃｍ以上４０本／ｃｍ以下の密度を有している。上記テープには、粘着性を有する合成アクリル樹脂の下層（４）が取り付けられている。下層（４）は、非粘着性のスペースまたはライン（５）を有しており、横糸に対して４５度の角度で対称的に屈曲した繰り返しパターンを形成している。
2019524401.tif 000002
【特許請求の範囲】
【請求項１】
縦糸及び横糸を有する平面織物（１）と、粘着性の下層（４）とを含み、
上記平面織物は、平織、綾織、または繻子織のオープンワーク構造を形成しており、上記縦糸及び横糸のいずれにおいても破れ斜文織りまたは交差織りにされており、
上記平面織物を形成する糸は、双糸として、ケーブルヤーンとして、または、自然繊維及び／または合成繊維を芯として撚られたフィラメント糸であることを特徴とする粘着筋膜テープ。
【請求項２】
縦糸及び横糸を有する上記平面織物（１）の上記糸は、３単位以上１０単位以下の平織、綾織、または繻子織のオープンワーク構造を形成していることを特徴とする請求項１に記載の粘着筋膜テープ。
【請求項３】
上記粘着筋膜テープの上記オープンワーク構造を構成する横糸（２）は、１本／ｃｍ以上３５本／ｃｍ以下の密度を有していることを特徴とする請求項１または２に記載の粘着筋膜テープ。
【請求項４】
上記粘着筋膜テープの上記オープンワーク構造を構成する縦糸（３）は、１本／ｃｍ以上４０本／ｃｍ以下の密度を有していることを特徴とする請求項１から３のいずれか１項に記載の粘着筋膜テープ。
【請求項５】
上記フィラメント糸は、滑らかなまたは加工されたモノフィラメント糸、マルチフィラメント糸、及び／又はその組合せから選択されることを特徴とする請求項１から４のいずれか１項に記載の粘着筋膜テープ。
【請求項６】
上記平面織物は、矩形のリップストップ軽量生地であることを特徴とする請求項１から５のいずれか１項に記載の粘着筋膜テープ。
【請求項７】
１００ｇ／ｍ２から３００ｇ／ｍ２の坪量であることを特徴とする請求項１から６のいずれか１項に記載の粘着筋膜テープ。
【請求項８】
上記平面織物を形成する上記自然繊維及び／または合成繊維は、コットン、ナイロン、ポリエステル、ポリプロピレン及びエラスタンを含むグループ、または、その組合せから選択されることを特徴とする請求項１から７のいずれか１項に記載の粘着筋膜テープ。
【請求項９】
帯磁した金属繊維を含むことを特徴とする請求項１から８のいずれか１項に記載の粘着筋膜テープ。
【請求項１０】
帯磁した繊維を含むことを特徴とする請求項１から９のいずれか１項に記載の粘着筋膜テープ。
【請求項１１】
上記下層（４）は、非粘着性のスペースまたはライン（５）を含み、
上記スペースまたはラインは、上記横糸に対して４５度の角度で対称的に屈曲した繰り返しパターンであることを特徴とする請求項１から１０のいずれか１項に記載の粘着筋膜テープ。
【請求項１２】
上記粘着筋膜テープを防水するための、ポリテトラフルオロエチレン（ＰＴＦＥ）膜、またはシリコーン油の薄層を含む上層を含むことを特徴とする請求項１から１１のいずれか１項に記載の粘着筋膜テープ。
【請求項１３】
上記粘着筋膜テープの特性及び性質を保護するための保護層であって、使用前に取り除くことが可能な保護層を備えることを特徴とする請求項１から１２のいずれか１項に記載の粘着筋膜テープ。
【発明の詳細な説明】
【技術分野】
【０００１】
本発明は、テープの製造に係る産業の技術分野に属し、特に理学療法、リハビリテーション、及び医学の分野における包帯のためのものである。
【０００２】
本発明は、特に、使用中に繊維間にかかる力に対してより優れた結合性及び安定性を提供する構造を持つ糸及び織物の組み合わせを備える粘着筋膜テープに関する。当該粘着筋膜テープは、取り付け時の操作性を向上させかつ容易にすると共に、身体の動作を制限することのない再現可能な、最良でかつ有限の伸縮性を提供する。
【背景技術】
【０００３】
近年、筋骨格系の疾患及び負傷を治療するためのテープが、異なる状態の筋膜に与える影響を考慮に入れることなく使用されている。
【０００４】
包帯による影響を把握するため、主に体組織の働きに影響を与える筋骨格系において、皮膚と筋膜とがどれほど近接して連結しているか、また、筋膜が全ての体組織にどれほど近接して連結しているかを明らかにすることは重要である。筋膜は、筋骨格系に影響を与えることで、内臓、神経、及び循環系の運動性または可動性に干渉し、痛みの原因が常に上記システム（筋骨格系）にあるとは限らないが、より多くの痛みを生じさせる。
【０００５】
筋膜は、耐久力のある組織が結合した連続系であり、神経支配及び血管新生により伸縮する。また、筋膜は、頭から足まで、また身体の外部から内部までにおいて見られ、身体全体及び身体に包含される全ての組織を包む連続した組織である。皮膚の最深部、すなわち皮下組織が表在筋膜に接続されていることを考慮すれば、皮膚において生じる刺激及び機械的影響は、表在筋膜に伝達され、表在筋膜から深部筋膜に伝達される。
【０００６】
解剖学及び組織学的な研究では、筋膜は、身体のあらゆる部位で見られ、斜め、横向きまたは環状の向きを持つ異なる層が順に形成されており、そのため、筋膜の一般的な様相は、らせん状の一種であるということがわかっている。
【０００７】
筋膜は、身体において多くの機能を実行する。その中でも、支援機能、血行動態機能、及び伝達機能への適合が顕著である。伝達機能においては、皮下組織、筋肉、靭帯、腱、及び骨といった全ての結合組織を、筋膜によって相互に結合させ、相乗的に機能させることを可能にする。この側面はまた、皮膚への包帯によって生じる刺激がどのように深部組織に伝達され、包帯領域の血管新生及び神経支配が向上するのかを説明している。
【０００８】
従って、解剖学的な可動性、及び広範囲の可動性に加えて運動性さえ制限しうる過剰な張力またはその不足に起因する筋膜の問題を正常化することを補助するテープが必要である。ある領域における張力の不足は別の領域での過剰な張力を招来するため、異なる部位での痛みを引き起こす。また、逆の場合についても同様であり、痛みを引き起こす。
【０００９】
キネシオロジーテープまたはキネシオテープが従来から知られている。当該テープは、タックされることで波形状が形成された粘着層を含むコットンテープのシステムからなる。これにより皮膚からの蒸散が可能となる。波形状は特別な技術によって皮膚に適合される。当該テープは、弾性テープの一類型である。
【００１０】
繻子織または綾織のオープンワーク構造を有する弾性粘着テープを開示する特許文献ＥＳ２５５８０２１Ａ２もまた既知である。当該弾性粘着テープでは、横糸はコットン（１００％）であり、縦糸はコットン及びエラストマー（それぞれ９５％及び５％）である。
【００１１】
その他、リジットテープ（アスレチックテープ、またはストラッパル）のようなテープが存在する。当該テープは、手で２方向に裂くことが可能な、非弾性でかつ低刺激性の粘着テープで、特に機能的な包帯として適用される。また、当該テープは、高抗張性を与えるタフタタイプの織物を含む。
【００１２】
しかしながら、真に機能的なテープは存在しない。上記の技術的特徴は、肩、肘、または膝関節のような、幅方向への移動が要求される複合的な運動には使用できないためである。主な素材がコットンであるため、包帯の開始位置から離れた弾性のある位置において、既定の、かつ再現性のある張力を作り出すことが必要である。
【００１３】
同様に、包帯される領域においてほとんど筋膜の運動性がない場合（腰部、足首の側部）、包帯が巻かれたときに規定の張力も再現性のある張力も生じないため、非常に多くの張力を作り出す傾向がある。この場合、上記領域に過度の刺激を生じさせ、包帯が巻かれた皮膚を傷つけることになり、その場所での神経支配及び血管新生を阻害し、加えて身体の他の領域における筋膜の補強が行われる。
【００１４】
コットン繊維は濡れたとき、その重量を増加させながら、直ちに水または汗といった液体を吸収及び保持する。一旦織物が濡れると、換気能力が低下かつ悪化し、乾燥するために長い時間がかかるであろう。また、これは、接着剤の性能に弊害をもたらしうる。そのため、患者の皮膚が常に湿っていることになるため、包帯の粘着性と同様に、清潔さを保つ能力は急激に低下するだろう。これは、包帯に関する治療上の成功に疑念を生じさせるであろう。さらに、憂鬱感、湿気感、及び湿気が発し得る悪臭は、ユーザにとって不快である。
【００１５】
そのため、コットンテープが濡れた場合、テープは水分を吸収し、テープの重量は増加する。また、乾燥が遅くなるため、乾燥時間が長くなる。また、汗と接触することにより、繊維は湿り、身体の熱量は伝導により奪われるため、蒸散が低下し、皮膚を清潔に保つ能力が低下する。これらのすべてが皮膚の質に影響を与え、小さな傷、炎症またはかゆみが生じうる。加えて、粘着力を低下させ、テープ及び接着剤の機能性に影響を与える。
【００１６】
そのため、（１）使用中に繊維間にかかる力に対してより優れた結合性及び安定性を提供し、（２）取り付け時の操作性を向上させかつ容易にし、（３）身体の動作を制限することのない再現可能な、最良でかつ有限の伸縮性を提供し、（４）従来のテープに存在する欠点を抑制する、適切な構造及び素材を備えるテープを実現することが望まれている。
【発明の概要】
【００１７】
本発明は、粘着テープが作り出す、痛みを和らげる効果を向上させるための、構造及び素材の組み合わせによって、粘着テープに関する従来技術に存在する問題を解決する。
【００１８】
テープは、糸及び織物による構成を備えており、既存のテープとは異なり、使用中に繊維間にかかる力に対してより優れた結合性及び安定性を提供し、運動中に取り付けられ保持された時の操作性を向上させかつ容易にする。テープは、包帯によって生じる強い張力、及び包帯された領域に依存した制限的または完全な身体の動作によって生じる強い張力によって引き起こされる刺激、湿疹、水腫またはモレル・ラバリー損傷による浸出（Morel-Lavallee effusion）を防止するように設計される。
【００１９】
筋膜テープを構成する織物の構造は、３単位の平織、綾織、または繻子織によるオープンワーク構造である。場合によっては、１０単位の繻子織又は綾織が用いられてもよい。また、当該構造は、１本／ｃｍ以上４０本／ｃｍ以下の縦糸密度を有していると共に、１本／ｃｍ以上３５本／ｃｍ以下の横糸密度を有している。上述した織りは、破れ斜文織りまたは交差織りであってよく、それぞれの糸が２回の連続的な打ち込みを行い、次の２回の打ち込みは離れている。そのため、両面において、同様の結果（織りの印象）が得られる。
【００２０】
上述の技術を用いた構造を増やし、１０単位の構造を作成することによって、糸同士の摩擦がより小さくなる。従って、より大きな弾性強度をテープに持たせる輪（織物の表面におけるフロートステッチ）が作り出されるため、上記糸において摩擦による互いの保持力はより小さくなる。
【００２１】
一方、輪の長さを増加させることによる構造のみが考慮に入れられ、使用される糸について考慮されなかった場合、弾性強度は増加するが、正確かつコントロールされた治療に必須である機械的強度及び保持力は減少する。
【００２２】
そのため、本発明におけるもう一つの重要な要素は、織物を形成する糸である。上記糸は、双糸として、ケーブルヤーンとして、または芯として束ねられることで、機械的強度及び保持力をコントロールできる。糸の強度は、同じ構造を有する様々な糸繊維、または異なる構造を様々な糸繊維を撚ることで、さらに定義され得る。
【００２３】
上記縦糸及び横糸密度に基づいて、テープの坪量が算出される。テープの坪量は、正確な引張強度、最大強度、トータルワーク及び伸縮性として、糸の構成と共に定義される。正確な引張強度、最大強度、トータルワーク及び伸縮性は、テープが接着された皮膚にダメージを与えることなく、または、身体の一部若しくは他の部位で拘縮または運動の制限を引き起こしうる筋膜の代償不全を生じさせることなく、テープが正確にその機能を果たすために必要となるものである。
【００２４】
一方、包帯が取り付けられる皮膚の位置によって、包帯の弾性及び感応性は変化し得る。それゆえ、皮膚からの刺激に対して適切に作用するように、包帯は、身体の各部位における皮膚の特性及び性質を考慮しなければならない。我々のテープの平面織物は、縦、横、及び接線方向に伸縮可能である非弾性素材に基づいており、皮膚領域の差異を考慮することで、高い安定性を維持している。上記の弾性は、異なる繊維の縦糸及び横糸の組み合わせによって決定されうる。
【００２５】
使用される糸については、滑らかなまたは加工された（textured）モノフィラメント糸、マルチフィラメント糸、またはそれらの組み合わせから、所望の特性によって選択されるフィラメント糸である。それゆえ、制限された範囲若しくは非制限の範囲での運動を伴うスポーツ用として、または特定の病理学的な治療用として好適なテープを作り出すために、上述の糸が組み合せられなければならない。
【００２６】
さらに、激しい使用を想定したテープに、運動を制限することのない、また皮膚に害を与えることのない裂け止めを施すために、矩形のリップストップ軽量生地が組み込まれる。これは、裂けに対する抵抗力、耐久力、及び裂けからの保護を提供する。
【００２７】
テープは、自然繊維、自然繊維及び合成繊維の組み合わせ、または合成繊維のみによって形成されている。さらに、上述した方法の中で使用されてもほとんど問題を起こさないため、金属繊維が使用されていてもよい。
【００２８】
加えて、上述した繊維は、身体の磁場に影響を与えることで身体ｐＨの調整に影響を与えるために、帯磁していてもよい。
【００２９】
要約すれば、筋膜テープにおける糸及び織物の構造は、湿疹、モレル・ラバリー損傷による浸出、またはモレル・ラバリー損傷による溢血（Morel-Lavallee extravasation）を生じさせないよう設計されているので、他のテープにおいて生じる過度の伸縮性を制御しつつ、身体の動作を制限することのない最良でかつ有限の、制御された伸縮性を提供する。皮膚が筋膜上で動作の生理的な限界を超えてスライドした場合、皮膚の裂傷及び剥離または裂離を引き起こす。そして、筋肉束の皮下細胞組織は、リンパ系の正常な働きに対して影響を与え（デグロービングし）、皮膚下でのリンパの集積を形成し、皮膚の壊死及び深刻な感染症を引き起こしうる。
【００３０】
「風速冷却」対流または温度認知といった対流メカニズムにおいて高い熱容量特性を組み合わせることで、水の吸収が少なく、乾燥が早く、蒸散性及び引っ張りに対する抵抗性が良く、低い摩擦性及び摩耗性を提供する。上記対流メカニズムは、優れた熱伝導体であり、人工繊維の特性を有する自然繊維の心地よい感覚及び快適さを与える。
【００３１】
テープを防水するためのポリテトラフルオロエチレン（ＰＴＦＥ）膜、薄膜、またはシリコーン油の薄層により、織物から水が滲出することを防止することで、テープが吸収しうる液体の流れをせき止める。外側部分は防水性があり、内側部分は体温を保つ。
【００３２】
本願特有の態様では、テープから蒸散を行うことが可能なように、非粘着性のスペースまたはラインが粘着層に形成される。上記スペースまたはラインは、横糸に対して４５度の角度で対称的に屈曲した繰り返しパターンを形成している。粘着層の粘着末端は、２つの均等な部分に分割されている。
【００３３】
粘着領域で分割されたスペースは４５度の角度を有する。この角度は、身体のらせん形状をした筋繊維の角度と等しい。そのため、テープは、動きがあるときの筋膜と非常に類似した動作を行うように反応するだろう。これらのスペースは、換気可能なパターンであって、テープを濡らす汗及び／または水を素早くかつ効率良く排出可能なパターンを形成する。したがって、皮膚とテープとの間に溜まる水分を取り除くことを可能とするため、より良く乾燥でき、より良い衛生状態を実現でき、かつ、より長期の使用が可能となる。
【００３４】
一方、弾性に関し、テープが縦糸にエラストマーを含む場合、テープは縦方向の弾性を有するだろう。エラストマーがさらに横糸に加わった場合、縦方向、横方向または接線方向の弾性が得られることにより、皮膚に対する動作性及び粘着性を向上させる。テープは全体として低刺激性である。
【００３５】
表在筋膜及び深部筋膜に対する問題を改善する筋膜テープを提供することで、従来のテープの欠点は解消される。従って、上記テープは、痛みを緩和すると共に、筋骨格系に反映される問題、または筋骨格系で生じる問題を解決することを可能にする。
【００３６】
本発明の理解を補助するため、本発明の実施形態は、一連の図面を参照して、限定されない例示を通して以下に説明される。
【図面の簡単な説明】
【００３７】
【図１】図１は、１０単位の綾織または繻子織のオープンワーク構造を備える、横糸（２）及び縦糸（３）を含む織物（１）の構造を示す正面図である。
【図２】図２は、１０単位の綾織または繻子織のオープンワーク構造を備える、横糸（２）及び縦糸（３）を含む織物（１）の構造を示す側面図である。
【図３】図３は、区別された織物（１）と粘着層（４）とを備えるテープの側面図である。
【図４】図４は、図３のＡ−Ａ線に沿って切り取られた断面図である。
【図５】図５は、非粘着性の領域（５）と粘着性の領域（６）とが区別された粘着層（４）の形状パターンである。
【発明を実施するための形態】
【００３８】
本発明の目的は、使用中に繊維間にかかる力に対してより優れた結合性及び安定性を提供する適切な構造及び素材を備える粘着筋膜テープにより、取り付け時の操作性を向上させかつ容易にすることにある。
【００３９】
従って、図１〜３に示すように、テープが備える織物（１）は、フィラメント糸で作成され、その素材は、双糸またはケーブルヤーンとして撚られるコットン及び／またはナイロン及びポリエステル繊維からなる。上記織物は、横糸（２）及び縦糸（３）の構造によって形成されている。
【００４０】
注目すべき点として、テープが備える織物の横糸（２）は、１本／ｃｍ以上３５本／ｃｍ以下の密度を有しており、縦糸（３）は、１本／ｃｍ以上４０本／ｃｍ以下の密度を有している。
【００４１】
撚られた糸における素材の配分は、身体の各部位の皮膚が有する伸縮性に対して要求される、身体に弊害をもたらすことのないテープの的確な張力を明らかにすることにより、３単位以上１０単位以下の平織、綾織、または繻子織による構造が有する伸縮性のコントロールを容易にする。上記の織りは、破れ斜文織りまたは交差織りであってよく、それぞれの糸が２回の連続的な打ち込みを行い、次の２回の打ち込みは離れている。そのため、両面において、同様の結果（織りの印象）が得られる。
【００４２】
自然繊維及び合成繊維（好ましくはコットン、ナイロン、及びポリエステル繊維）の混合組成を有するテープにおいては、摩擦は減少する。そのため、上記テープは、腰部といった、皮膚の伸縮性が低い身体の部位に対して好適である。
【００４３】
テープは、繊維が人工弾性繊維及びコットン繊維によるものであるため、エラストマーを必要とすることなく弾性を有することが好ましい。より大きな弾性が要求される場合には、エラストマーを含む双糸またはケーブルヤーンが作成されてもよい。
【００４４】
テープを形成する糸に関し、糸は、互いに撚られて双糸を形成する。双糸は、２、３、及び４のプリエを有することが好ましい。また、糸は、互いに撚られてケーブルヤーンを形成する。ケーブルヤーンは、４、６、または９のケーブルを有することが好ましい。さらに、さらなる伸縮性を生み出す方向に向けて位置づけられた芯を有する糸が使用される。
【００４５】
糸はフィラメント糸であり、滑らかで加工されたモノフィラメント糸、マルチフィラメント糸、またはそれらの組合せから選択される。さらなる強度及び均一性を有することが要求されると共に、柔軟性を有さないことが要求される場合には、モノフィラメント糸が使用される。強度が最も重視される場合には、滑らかなマルチフィラメント糸が使用される。より広い適用範囲及びより高い増量性（拡張性）を有する繊維を提供することが要求される場合には、加工されたフィラメント糸が使用される。
【００４６】
注目すべき点として、テープは、以下の機械的性質を有する：０．０５ｋｇ／ｍｍ以上０．９９ｋｇ／ｍｍ以下の引張強度、５ｋｇ以上２８ｋｇ以下の最大強度、０．０５ｋｇ／ｍｍ以上０．９９ｋｇ／ｍｍ以下のトータルワーク。さらに、上記機械的性質は、１００ｇ／ｍ２以上３００ｇ／ｍ２以下の坪量を含む。
【００４７】
裂ける前の伸縮中に与えられる連続的な変形（引張強度）に伴って、エネルギーが素材に吸収されるためには、また、最大強度が適切であるためには、上記坪量が最良であり、かつ必須である。トータルワークは、テープの伸縮性を調整及び正常化する。これにより、どのような状況、たとえ弾力的な伸縮がさらなる段階に進んだとしても、テープを、裂くことなく、機能的に維持することが可能となる。
【００４８】
最後に、注目しなければならない点として、粘着性の下層（４）は、好ましくはアクリル合成フィラメント糸の薄層であり、好ましくはラテックスを含まず、皮膚及び糸の素材に対して高い粘着力を有する。
【００４９】
非粘着性のスペースまたは溝（５）を形成する無数の繰り返しパターンは、図５に示すように、皮膚とテープとの間に溜まる汗またはあらゆる液体の、より優れた排出のために組み込まれている。表面の残りの部分は、粘着性の領域（６）として覆われている。非粘着性のスペースまたはライン（５）の巻き付き時の形状（好ましくは横糸の方向）が、テープの取外しをさらに容易にする４５度の角度を有するため、上記スペースは、貼り付け後に皮膚上でテープが奇形化し、ユーザの肌を挟むまたは傷つけることを防ぐことを可能とする。
【００５０】
テープは、予め設定された伸長度を有するように、紙上に粘着している。上記伸長度により、繊維は、予めわずかに張った状態に維持される。これにより、その機械的性質及び特性を保護している。繊維が幾分張った状態で紙上に粘着していない場合には、本来有するべき機能を喪失する。
【００５１】
本発明について明確に説明を行ったが、上述した本願特有の実施形態は、基本的原理及び本質が変更されないならば、細部において変更を受け入れる余地があることに留意されるべきである。
【図１】
2019524401.tif 000003
【図２】
2019524401.tif 000004
【図３】
2019524401.tif 000005
【図４】
2019524401.tif 000006
【図５】
2019524401.tif 000007
【国際調査報告】
2019524401.tif 000008
2019524401.tif 000009
2019524401.tif 000010
2019524401.tif 000011